(57)【要約】【課題】製造コストを削減し易い上げ下げ窓を提供する。【解決手段】上枠と下枠と左右の縦枠とを有する枠体、ならびに、前記枠体の内側に取り付けられた内障子および外障子を備え、前記左右の縦枠それぞれに形成されたガイドに沿って少なくとも前記内障子を上下動させることで前記枠体の開口部を閉鎖または開放することができる上げ下げ窓を作製するにあたり、前記左右の縦枠３０それぞれを、前記内障子６０を上下動させるためのガイド４０が形成された主枠３１と、前記ガイドよりも室外側に位置するようにして前記主枠に取り付けられた副枠４２とを有する構造にする。【選択図】    図４
2004316111.tif 000002
【特許請求の範囲】
【請求項１】
上枠と下枠と左右の縦枠とを有する枠体、ならびに、前記枠体の内側に取り付けられた内障子および外障子を備え、前記左右の縦枠それぞれに形成されたガイドに沿って少なくとも前記内障子を上下動させることで前記枠体の開口部を閉鎖または開放することができる上げ下げ窓であって、
前記左右の縦枠が、それぞれ、前記内障子を上下動させるためのガイドが形成された主枠と、前記ガイドよりも室外側に位置するようにして前記主枠に取り付けられた副枠とを有する上げ下げ窓。
【発明の詳細な説明】
【０００１】
【発明の属する技術分野】
本発明は、上げ下げ窓に関する。
【０００２】
【従来の技術】
近年、建具には高い気密性、水密性、遮音性、断熱性等が求められるようになり、これらの要求を満たすために、多くの建具では建物に枠体を取り付け、この枠体に障子を取り付けた構造となっている。このことは、障子を上下動させて開け閉めする上げ下げ窓においても同じである。
【０００３】
多くの上げ下げ窓は内障子と外障子とを備えており、上下動する障子（以下、「可動障子」という。）の枚数に応じて、シングルハング型とダブルハング型とに大別することができる。シングルハング型の上げ下げ窓では内障子だけが可動障子となっており、ダブルハング型の上げ下げ窓では内障子および外障子の両方が可動障子となっている。
【０００４】
また、可動障子の開閉の度合いの調節方法に応じて、バランサー式とラッチ式とに大別することもできる。バランサー式の上げ下げ窓では、枠体の上枠内に配置されたバランサーによって可動障子が吊られており、可動障子の開閉の度合いを任意に調整することが可能である。一方、ラッチ式の上げ下げ窓では、可動障子にラッチ棒が設けられていると共に、左右の縦枠それぞれに複数のラッチ穴が予め形成されており、可動障子のラッチ棒を所望のラッチ穴に挿入することで当該可動障子の開閉の度合いを調整する。
【０００５】
このように上げ下げ窓には種々の形態があるので、その枠体を構成する上枠、下枠、左縦枠、および右縦枠は、上げ下げ窓の形態に応じて、それぞれ固有の形状を有している。
【０００６】
ところで、枠体を構成する各枠は、金型を用いて形材を所定形状に押出し成形し、得られた成形品を所望長に切断した後に必要な部品を取り付けることによって製造される。このとき、左縦枠および右縦枠それぞれの長手方向端部には、枠体に組み上げるときに上枠、下枠の長手方向端面を当接させるための平坦面を形成する必要がある。
【０００７】
上げ下げ窓では、障子を上下動させるためのガイドを左縦枠および右縦枠それぞれの片面（枠体に組み上げたときの内面）に形成することが必要であるので、押出し成形された成形品の段階では、その全長に亘ってガイドが延在している。したがって、押出し成形後には、上記の平坦面を形成するために、ガイドを局所的に切断することが必要である。
【０００８】
【発明が解決しようとする課題】
枠体を構成する枠の各々は、建具の気密性、水密性を高めるために複雑な断面形状を有しており、そのため、これらの枠を製造するための金型も複雑であり、高価である。種々の形態の上げ下げ窓を製造するためには、種々の形状の金型を揃える必要があり、多額の設備投資が必要である。また、上げ下げ窓用の左縦枠および右縦枠を製造するにあたって上述の平坦面を形成するためには、比較的多くの工数が必要である。これらの理由から、上げ下げ窓では製造コストを削減しづらく、安価に提供することが困難である。
【０００９】
そこで、本発明は、製造コストを削減し易い上げ下げ窓を提供することを課題とする。
【００１０】
【課題を解決するための手段】
以下、本発明について説明する。以下の説明では、本発明の理解を容易にするために添付図面中の参照符号を括弧書きで付記するが、それによって本発明が図示の形態に限定されるものではない。
【００１１】
本発明の一態様では、上枠（１、１０１、２０１）と下枠（１０、１１０、２１０）と左右の縦枠（２０、３０、１２０、１３０、２２０、２３０）とを有する枠体（５０、１５０、２５０）、ならびに、前記枠体の内側に取り付けられた内障子（６０、２６０）および外障子（８０、１８０）を備え、前記左右の縦枠それぞれに形成されたガイド（４０、１４５）に沿って少なくとも前記内障子を上下動させることで前記枠体の開口部（４８、１４８、２４８）を閉鎖または開放することができる上げ下げ窓（１００、２００、３００）であって、前記左右の縦枠が、それぞれ、前記内障子を上下動させるためのガイド（４０）が形成された主枠（３１）と、前記ガイドよりも室外側に位置するようにして前記主枠に取り付けられた副枠（４２、１４２）とを有する上げ下げ窓を提供して、上記の課題を解決する。
【００１２】
上げ下げ窓用の枠体での左右の縦枠を主枠と副枠とに分けることにより、これら主枠および副枠それぞれの形状が比較的単純化されるので、当該主枠および副枠を製造するための金型の形状も比較的単純化することができる。それに伴って、金型の製造コストを削減することが容易になる。
【００１３】
また、枠体に組み上げるときに上枠、下枠の長手方向端面が当接される平坦面を左右の縦枠それぞれに形成するにあたっては、副枠については上記平坦面にかからないように長さを調節するだけでよく、主枠については形状が比較的単純化されているので平坦面の形成に要する工数を従来に比べて低減させることができる。
【００１４】
これらの理由から、本発明の上げ下げ窓では製造コストを削減し易い。また、複数の形態の上げ下げ窓を製造する場合には主枠および副枠の少なくとも一方を共通化することが可能であるので、使用する金型の共通化は勿論、生産スペースの共通化も図ることができ、集約化が容易になる。この点からも製造コストを削減し易い。
【００１５】
【発明の実施の形態】
以下、本発明に係る実施形態について、図面を参照しつつ詳述する。
【００１６】
＜第１実施形態＞
図１（Ａ）は、本発明の第１実施形態による上げ下げ窓１００が開放されているときに当該上げ下げ窓１００を室内側から正面視したときの概略図であり、図１（Ｂ）は、図１（Ａ）に示した上げ下げ窓１００が閉鎖されているときに当該上げ下げ窓１００を室内側から正面視したときの概略図である。
【００１７】
図示の上げ下げ窓１００はシングルハング型の上げ下げ窓であり、建物（図示せず。）の所定箇所に取り付けられる枠体５０と、枠体５０の開口部４８を閉鎖または開放するために当該枠体５０に取り付けられた２枚の障子６０、８０とを備えている。２枚の障子６０、８０のうち、相対的に室内側の障子６０（以下、「内障子６０」という。）のみが可動障子となっていて、相対的に室外側の障子８０（以下、「外障子８０」という。）は固定されている。
【００１８】
枠体５０は、上枠１、下枠１０、右縦枠２０、および左縦枠３０によって構成されており、上枠１および下枠１０それぞれの長手方向端面は、右縦枠２０および左縦枠３０それぞれの長手方向端部に形成された平坦面に当接している。
【００１９】
内障子６０は、上框６１と、下框６３と、右縦框６５と、左縦框６７と、これらの框に固定されたガラスパネル６９とを有しており、下框６３には引き手６４が設けられている。同様に、外障子８０は、上框８１、下框８３、右縦框８５、左縦框８７、および、これらの框に固定されたガラスパネル８９を有している。内障子６０と外障子８０との召し合わせ部には、戸締まりのためのクレセント９５が取り付けられている。枠体５０の開口部４８（図１（Ａ）参照）を閉鎖または開放する（以下、「障子を閉める」または「障子を開ける」という。）にあたっては、内障子６０が上下方向へスライドされる。
【００２０】
図２（Ａ）に示すように、内障子６０を上下方向にスライド可能にするために、当該内障子６０の右縦框６５の下端部には、見付け方向外側に突出するようにしてガイド棒７１ａが取り付けられており、左縦框６７の下端部には、見付け方向外側に突出するようにしてガイド棒７１ｂが取り付けられている。
【００２１】
一方、図２（Ｂ）に示すように、枠体５０における左縦枠３０には、ガイド棒７１ｂと係合する溝状のガイド４０（以下、「ガイド溝４０」という。）が形成されている。図２（Ｂ）においては、便宜上、ガイド溝４０にスマッジングを付してある。図示してはいないが、枠体５０における右縦枠２０の内面には、ガイド棒７１ａと係合するガイド溝が形成されている。
【００２２】
上述した構造を有する上げ下げ窓１００は、右縦枠２０および左縦枠３０それぞれが、主枠と副枠とを有している点に最大の特徴を有している。以下、左縦枠３０を例にとり、図３および図４を参照しつつその構造を詳述する。
【００２３】
図３は、左縦枠３０における主枠３１を概略的に示す水平断面図であり、断面を上面視したときの図である。同図に示すように、主枠３１は見込み部３３を有しており、この見込み部３３の見込み寸法が主枠３１の見込み寸法となっていると同時に、左縦枠３０の見込み寸法となっている。主枠３１の見込み寸法は、内障子６０および外障子８０それぞれの見込み寸法の和以上である。
【００２４】
上記の見込み部３３には、当該見込み部３３から見付け方向外側に突出するようにして、建物の所定箇所に係合するアンカー部３４が形成されている。また、見付け方向内側に突出するようにして、第１リブ３５、第２リブ３６、および、後述する副枠と係合する第１係合部３８が形成されている。
【００２５】
第１リブ３５の先端には、ガイド溝４０の室内側端面を規定する第１フランジ３５ａが形成されており、第１フランジ３５ａにおける内障子６０側の面は、内障子６０に設けられる第１気密材と当接する。
【００２６】
また、第２リブ３６の中央部室内側には、ガイド溝４０の室外側端面を規定する第２フランジ３６ａが形成されており、第２リブ３６の中央部室外側には、主枠３１をダブルハング型の上げ下げ窓での左縦枠に転用した際に外障子用のガイド溝の室内側端面を規定することができる第３フランジ３６ｂが形成されている。第３フランジ３６ｂの先端部は見付け方向外側に屈曲して、後述する副枠と係合する第２係合部３６ｃを形成している。第２リブ３６の先端部には、内障子６０に設けられる第２気密材と当接する平坦面３６ｄが形成されている。
【００２７】
図４は、左縦枠３０と内障子６０との係合関係を概略的に示す水平断面図であり、断面を上面視したときの図である。同図に示すように、左縦枠３０は、図３に示した主枠３１の他に、当該主枠３１にネジ３９によって取り付けられて左縦枠３０の室外側表面を形成する副枠４２と、副枠４２に取り付けられて当該副枠４２と共にガラスパネル取付け用の係合溝４３を形成する係合溝形成枠４４とによって構成されている。
【００２８】
副枠４２は、主枠３１に形成されている第１係合部３８および第２係合部３６ｃとも係合しており、係合溝形成枠４４は、副枠４２に形成されている第１係合部４２ａおよび第２係合部４２ｂと係合している。係合溝４３の室外側には、気密材（先付ビード）挿入用の溝が形成されている。
【００２９】
内障子６０の左縦框６７に形成されているガイド棒７１ｂは、主枠３１に形成されているガイド溝４０に挿入されている。左縦枠３０と左縦框６７との間は、左縦框６７に形成されている第１タッピングホール６７ａに固定されたパッキン（図示せず。）と、第２タッピングホール６７ｂに固定されたパッキン（図示せず。）とによって、気密に保たれる。なお、図４中の参照符号６９は、図１（Ａ）および図１（Ｂ）に示した内障子６０のガラスパネルを示しており、参照符号７３は、ガラスパネル６９と左縦框６７との間に設けられたグレージングチャネルを示している。
【００３０】
図示してはいないが、本実施形態の上げ下げ窓１００では、枠体５０における右縦枠２０も、上述した左縦枠３０と同様に主枠、副枠、および係合溝形成枠によって構成されている。右縦枠２０の構造は、左縦枠３０の構造と鏡像関係にある。
【００３１】
上述の構造を有している上げ下げ窓１００では、右縦枠２０および左縦枠３０が、それぞれ、比較的単純化された形状の主枠３１、副枠４２、および係合溝形成枠４４によって形成されているので、これら主枠３１、副枠４２、および係合溝形成枠４４を製造するための金型の形状を比較的単純化することができる。それに伴って、金型の製造コストを削減することが容易である。
【００３２】
また、枠体５０に組み上げるときに上枠１、下枠１０の長手方向端面が当接される平坦面を右縦枠２０および左縦枠３０それぞれに形成するにあたっては、副枠４２および係合溝形成枠４４については上記平坦面にかからないように長さを調節するだけでよく、主枠３１については形状が比較的単純化されているので平坦面の形成に要する工数を従来に比べて低減させることができる。
【００３３】
したがって、本実施形態の上げ下げ窓１００では製造コストを削減し易い。また、後述するように主枠３１を他の形態の上げ下げ窓用の枠体における右縦枠または左縦枠の主枠としても利用することが可能であるので、種々の形態の上げ下げ窓を製造する場合には金型や生産スペースを兼用することが可能になり、集約化を図り易い。この点からも、製造コストを削減し易い。
【００３４】
＜第２実施形態＞
図５（Ａ）は、本発明の第２実施形態による上げ下げ窓２００が開放されているときに当該上げ下げ窓２００を室内側から正面視したときの概略図であり、図５（Ｂ）は、図５（Ａ）に示した上げ下げ窓２００が閉鎖されているときに当該上げ下げ窓２００を室内側から正面視したときの概略図である。
【００３５】
図示の上げ下げ窓２００はダブルハング型の上げ下げ窓であり、建物（図示せず。）の所定箇所に取り付けられる枠体１５０と、枠体１５０の開口部１４８を閉鎖または開放するために当該枠体１５０に取り付けられた内障子６０および外障子１８０を有している。内障子６０および外障子の両方が可動障子である。
【００３６】
枠体１５０は、上枠１０１、下枠１１０、右縦枠１２０、および左縦枠１３０によって構成されており、上枠１０１および下枠１１０それぞれの長手方向端面は、右縦枠１２０および左縦枠１３０それぞれの長手方向端部に形成された平坦面に当接している。
【００３７】
内障子６０は、第１実施形態の上げ下げ窓１００における内障子６０と同様の構成を有しているので、当該内障子６０およびその構成部材については、図１（Ａ）および図１（Ｂ）で用いた参照符号と同じ参照符号を付してその説明を省略する。
【００３８】
外障子１８０は、可動障子である点を除き、第１実施形態の上げ下げ窓１００における外障子８０と同様の構成を有しているので、図１（Ａ）および図１（Ｂ）に示した部材と機能上共通する部材には図１（Ａ）および図１（Ｂ）で用いた参照符号の数値部分に１００を加えた参照符号を付してその説明を省略する。戸締まりのためのクレセントには、新たな参照符号１９５を付してある。
【００３９】
図６（Ａ）に示すように、外障子１８０を上下方向にスライド可能にするために、当該外障子１８０の右縦框１８５の下端部には、見付け方向外側に突出するようにしてガイド棒１９１ａが取り付けられており、左縦框１８７の下端部には、見付け方向外側に突出するようにしてガイド棒１９１ｂが取り付けられている。内障子６０にガイド棒７１ａ、７１ｂが取り付けられている点は、第１実施形態の上げ下げ窓１００と同じである。
【００４０】
一方、図６（Ｂ）に示すように、枠体１５０における左縦枠１３０には、外障子１８０のガイド棒１９１ｂと係合する溝状のガイド１４５（以下、「ガイド溝１４５」という。）が形成されており、その下端部にはストッパ１４６が取り付けられている。図６（Ｂ）においては、便宜上、ガイド溝１４５にスマッジングを付してある。また、左縦枠１３０には、内障子のガイド棒７１ｂと係合するガイド溝も形成されている。ガイド棒７１ｂに係合するガイド溝は第１実施形態の上げ下げ窓１００と同じ構成を有しているので、図６（Ｂ）においては当該ガイド溝に図２（Ｂ）で用いた参照符号と同じ参照符号４０を付し、さらに、スマッジングを付してある。図示してはいないが、枠体１５０における右縦枠１２０の内面には、ガイド棒７１ａと係合するガイド溝およびガイド棒１９１ａに係合するガイド溝が形成されている。
【００４１】
上述した構造を有する上げ下げ窓２００も、第１実施形態の上げ下げ窓１００と同様に、右縦枠１２０および左縦枠１３０それぞれが、主枠と副枠とを有している点に最大の特徴を有している。以下、左縦枠１３０を例にとり、図７を参照しつつその構造を詳述する。
【００４２】
図７は、左縦枠１３０と内障子６０、外障子１８０との係合関係を概略的に示す水平断面図であり、断面を上面視したときの図である。同図に示すように、左縦枠１３０は、主枠３１と、当該主枠３１にネジ３９によって取り付けられて左縦枠１３０の室外側表面を形成する副枠１４２によって構成されている。
【００４３】
図７に示した主枠３１は、図３に示した主枠３１と全く同じものであるので、当該主枠３１については図３で用いた参照符号と同じ参照符号を用いて各部を示し、その説明を省略する。また、図７に示した内障子６０の構造は図４に示した内障子６０の構造と同じであるので、当該内障子６０については図４で用いた参照符号と同じ参照符号を用いて各部を示し、その説明を省略する。
【００４４】
副枠１４２は、ネジ３９によって主枠３１に固定されている他に、主枠３１に形成されている第１係合部３８とも係合しており、当該副枠１４２の中央部室内側には、ガイド溝１４５の室外側端面を規定するフランジ１４２ａが形成されている。ガイド溝１４５の室内側端面は、主枠３１に形成されている第２係合部３６ｃによって規定されている。
【００４５】
外障子１８０の左縦框１８７に形成されているガイド棒１９１ｂは、主枠３１と副枠１４２とによって形成されたガイド溝１４５に挿入されている。左縦枠１３０と左縦框１８７との間は、左縦框１８７に形成されている第１タッピングホール１８７ａに固定されたパッキン（図示せず。）と、第２タッピングホール１８７ｂに固定されたパッキン（図示せず。）とによって、気密に保たれる。なお、図７中の参照符号１８９は、図５（Ａ）および図５（Ｂ）に示した外障子１８０のガラスパネルを示しており、参照符号１９３は、ガラスパネル１８９と左縦框１８７との間に設けられたグレージングチャネルを示している。
【００４６】
図示してはいないが、本実施形態の上げ下げ窓２００では、枠体１５０における右縦枠１２０も、上述した左縦枠１３０と同様に主枠と副枠によって構成されている。右縦枠１２０の構造は、左縦枠１３０の構造と鏡像関係にある。
【００４７】
上述の構造を有している上げ下げ窓２００でも、第１実施形態の上げ下げ窓１００と同様の理由から製造コストを削減し易い。そして、この上げ下げ窓２００では、副枠の種類が１種類のみである（係合溝形成枠が不要である）ことから、第１実施形態の上げ下げ窓１００よりも製造コストを削減することが容易である。
【００４８】
＜第３実施形態＞
図８（Ａ）は、本発明の第３実施形態による上げ下げ窓３００が開放されているときに当該上げ下げ窓３００を室内側から正面視したときの概略図であり、図８（Ｂ）は、図８（Ａ）に示した上げ下げ窓３００が閉鎖されているときに当該上げ下げ窓３００を室内側から正面視したときの概略図である。
【００４９】
図示の上げ下げ窓３００はシングルハング型の上げ下げ窓であり、建物（図示せず。）の所定箇所に取り付けられる枠体２５０と、枠体２５０の開口部２４８を閉鎖または開放するために当該枠体２５０に取り付けられた内障子２６０および外障子８０を有している。内障子２６０が可動障子であり、外障子８０は固定されている。
【００５０】
枠体２５０は、上枠２０１、下枠２１０、右縦枠２２０、および左縦枠２３０によって構成されており、上枠２０１および下枠２１０それぞれの長手方向端面は、右縦枠２２０および左縦枠２３０それぞれの長手方向端部に形成された平坦面に当接している。
【００５１】
内障子２６０は、ラッチ式の可動障子である点を除き、第１実施形態の上げ下げ窓１００における内障子６０と同様の構成を有しているので、図１（Ａ）および図１（Ｂ）に示した部材と機能上共通する部材には図１（Ａ）および図１（Ｂ）で用いた参照符号の数値部分に２００を加えた参照符号を付してその説明を省略する。戸締まりのためのクレセントには、新たな参照符号２９５を付してある。
【００５２】
外障子８０は、第１実施形態の上げ下げ窓１００における外障子８０と同様の構成を有しているので、当該外障子８０およびその構成部材については、図１（Ａ）および図１（Ｂ）で用いた参照符号と同じ参照符号を付してその説明を省略する。
【００５３】
図９（Ａ）に示すように、内障子２６０を上下方向にスライドさせて所定箇所で当該内障子２６０の位置を固定するために、内障子２６０の右縦框２６５の下端部には、見付け方向外側に突出するようにしてガイド棒２７１ａが取り付けられており、当該ガイド棒２７１ａ内には、ガイド棒２７１ａからの突出および当該ガイド棒２７１ａへの格納が自在なラッチ棒２７２ａが設けられている。同様に、内障子２６０の左縦框２６７の下端部には、見付け方向外側に突出するようにしてガイド棒２７１ｂが取り付けられており、当該ガイド棒２７１ｂ内には、ガイド棒２７１ｂからの突出および当該ガイド棒２７１ｂへの格納が自在なラッチ棒２７２ｂが設けられている。
【００５４】
一方、図９（Ｂ）に示すように、枠体２５０における左縦枠２３０には、内障子２６０のガイド棒２７１ｂと係合するガイド溝４０が形成されており、その奥には、ラッチ棒２７２ｂを挿入するためのラッチ穴２４７ａが複数箇所に形成されたラッチ板（図示せず。）が取り付けられている。ガイド溝４０は第１実施形態の上げ下げ窓１００でのガイド溝４０と同じ構成を有している。図９（Ｂ）においてはガイド溝４０に、便宜上、スマッジングを付してある。図示してはいないが、枠体２５０における右縦枠２２０には、ガイド棒２７１ａと係合するガイド溝が形成されており、このガイド溝の奥には、ラッチ棒２７２ａを挿入するためのラッチ穴が複数箇所に形成されたラッチ板が取り付けられている。
【００５５】
上述した構造を有する上げ下げ窓３００も、第１実施形態の上げ下げ窓１００と同様に、右縦枠２２０および左縦枠２３０それぞれが、主枠と副枠とを有している点に最大の特徴を有している。以下、左縦枠２３０を例にとり、図１０を参照しつつその構造を詳述する。
【００５６】
図１０は、左縦枠２３０と内障子２６０との係合関係を概略的に示す水平断面図であり、断面を上面視したときの図である。同図に示すように、左縦枠２３０は、ガイド溝４０の奥（見込み部３３側）にラッチ板２４７が取り付けられている点を除いて、第１実施形態の上げ下げ窓１００での左縦枠３０と同様に主枠３１と、副枠４２と、係合溝形成枠４４とによって構成されている。図１０に示した左縦枠２３０の構成部材のうちで図４に示した左縦枠３０の構成部材と共通するものには、図４で用いた参照符号と同じ参照符号を付してその説明を省略する。ラッチ板２７４は、第１リブ３５および第２リブ３６に当接し、かつ、見込み部３３に当接するようにして、主枠３１に取り付けられている。
【００５７】
内障子２６０の左縦框２６７に取り付けられているガイド棒２７１ｂはガイド溝４０に挿入されており、ラッチ棒２７２ｂは、ラッチ板２７４に形成されているラッチ穴２７４ａに挿入されている。左縦枠２３０と左縦框２６７との間は、左縦框２６７に形成されている第１タッピングホール２６７ａに固定されたパッキン（図示せず。）と、第２タッピングホール２６７ｂに固定されたパッキン（図示せず。）とによって、気密に保たれる。なお、図１０中の参照符号２６９は、図８（Ａ）および図８（Ｂ）に示した内障子２６０のガラスパネルを示しており、参照符号２７３は、ガラスパネル２６９と左縦框２３０との間に設けられたグレージングチャネルを示している。
【００５８】
図示してはいないが、本実施形態の上げ下げ窓３００では、枠体２５０における右縦枠２２０も、上述した左縦枠２３０と同様に主枠、副枠、係合溝形成枠、およびラッチ板によって構成されている。右縦枠２２０の構造は、左縦枠２３０の構造と鏡像関係にある。
【００５９】
上述の構造を有している上げ下げ窓３００でも、第１実施形態の上げ下げ窓１００と同様の理由から製造コストを削減し易い。
【００６０】
上述した第１〜第３実施形態から明らかなように、枠体における左右の縦枠を主枠と副枠とに分けることにより、複数の形態の上げ下げ窓を製造する場合に主枠と副枠との少なくとも一方を共通化することができる。したがって、複数の形態の上げ下げ窓を製造する際に、使用する金型の共通化は勿論、生産スペースの共通化も図ることができ、集約化が容易になる。この点からも製造コストを削減することが容易になる。
【００６１】
１つの縦枠を構成するにあたって主枠の他に幾つの副枠を用いるかは、適宜選定可能である。また、副枠を主枠の何処に取り付けるかも、適宜選定可能である。さらに、係合溝形成枠のように副枠にのみ取り付けられる枠の数、および当該枠の取り付け位置についても、適宜選定可能である。
【００６２】
ただし、如何なる形態の上げ下げ窓においても、気密性や水密性を高めるという観点からは、左右の縦枠における主枠の見込み寸法を、内障子および外障子それぞれの見込み寸法の和以上にすることが好ましい。主枠と当該主枠に取り付けられる副枠との境界部については気密性や水密性を高めにくいので、主枠の見込み寸法が内障子および外障子それぞれの見込み寸法の和未満であると、縦枠の見込みを形成するためには主枠の室外側または室内側に張り出すようにして当該主枠に副枠を取り付けることが必要となる結果として、主枠と副枠との境界部から侵入した空気や水が室内側に入り込み易くなる。
【００６３】
以上、現時点において最も実践的であり、かつ、好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う上げ下げ窓もまた、本発明の技術的範囲に包含されるものとして理解されなければならない。
【００６４】
【発明の効果】
以上説明したように、請求項１に記載の発明によれば、上げ下げ窓の枠体を構成している左右の縦枠を主枠と副枠とに分けたので、これら主枠および副枠の形状が比較的単純化される。その結果として、主枠および副枠を製造するための金型の形状を比較的単純化することができ、それに伴って金型の製造コストを削減することが容易になる。また、枠体に組み上げるときに上枠、下枠の長手方向端面が当接される平坦面を左右の縦枠それぞれに形成するにあたっては、副枠については上記平坦面にかからないように長さを調節するだけでよく、主枠については形状が比較的単純化されているので平坦面の形成に要する工数を従来に比べて低減させることができる。したがって、請求項１に記載の発明によれば、製造コストを削減し易い。また、複数の形態の上げ下げ窓を製造する場合には主枠および副枠の少なくとも一方を共通化することが可能であるので、使用する金型の共通化は勿論、生産スペースの共通化も図ることができ、集約化が容易になる。この点からも製造コストを削減し易い。
【図面の簡単な説明】
【図１】図１（Ａ）は、本発明の第１実施形態による上げ下げ窓が開放されているときに当該上げ下げ窓を室内側から正面視したときの概略図であり、図１（Ｂ）は、図１（Ａ）に示した上げ下げ窓が閉鎖されているときに当該上げ下げ窓を室内側から正面視したときの概略図である。
【図２】図２（Ａ）は、図１（Ａ）および図１（Ｂ）に示した内障子と外障子とを概略的に示す正面図であり、図２（Ｂ）は、図１（Ａ）および図１（Ｂ）に示した枠体の左縦枠に形成されている溝状のガイドを示す概略図である。
【図３】図１（Ａ）および図１（Ｂ）に示した枠体の左縦枠を構成している主枠を概略的に示す水平断面図であり、断面を上面視したときの図である。
【図４】図１（Ａ）および図１（Ｂ）に示した左縦枠と内障子との係合関係を概略的に示す水平断面図であり、断面を上面視したときの図である。
【図５】図５（Ａ）は、本発明の第２実施形態による上げ下げ窓が開放されているときに当該上げ下げ窓を室内側から正面視したときの概略図であり、図５（Ｂ）は、図５（Ａ）に示した上げ下げ窓が閉鎖されているときに当該上げ下げ窓を室内側から正面視したときの概略図である。
【図６】図６（Ａ）は、図５（Ａ）および図５（Ｂ）に示した内障子と外障子とを概略的に示す正面図であり、図６（Ｂ）は、図５（Ａ）および図５（Ｂ）に示した枠体の左縦枠に形成されているガイド溝を示す概略図である。
【図７】図５（Ａ）および図５（Ｂ）に示した左縦枠と内障子、外障子との係合関係を概略的に示す水平断面図であり、断面を上面視したときの図である。
【図８】図８（Ａ）は、本発明の第３実施形態による上げ下げ窓が開放されているときに当該上げ下げ窓を室内側から正面視したときの概略図であり、図８（Ｂ）は、図８（Ａ）に示した上げ下げ窓が閉鎖されているときに当該上げ下げ窓を室内側から正面視したときの概略図である。
【図９】図９（Ａ）は、図８（Ａ）および図８（Ｂ）に示した内障子と外障子とを概略的に示す正面図であり、図９（Ｂ）は、図８（Ａ）および図８（Ｂ）に示した枠体の左縦枠に形成されているガイド溝を示す概略図である。
【図１０】図８（Ａ）および図８（Ｂ）に示した左縦枠と内障子との係合関係を概略的に示す水平断面図であり、断面を上面視したときの図である。
【符号の説明】
２０、１２０、２２０  右縦枠
３０、１３０、２３０  左縦枠
３１  主枠
４０、１４５  左縦枠に形成された溝状のガイド
４２、１４２  副枠
４８、１４８、２４８  枠体の開口部
５０、１５０、２５０  枠体
６０、２６０  内障子
１００、２００、３００  上げ下げ窓
【図１】
2004316111.tif 000003
【図２】
2004316111.tif 000004
【図３】
2004316111.tif 000005
【図４】
2004316111.tif 000006
【図５】
2004316111.tif 000007
【図６】
2004316111.tif 000008
【図７】
2004316111.tif 000009
【図８】
2004316111.tif 000010
【図９】
2004316111.tif 000011
【図１０】
2004316111.tif 000012